(57)【要約】【課題】美的外観を損なわず、発電量を増やすことができるソーラーセル付電子時計を提供することを目的とする。【解決手段】ソーラーセル付電子時計は、上内側面４６、下内側面４８、上外側面５０及び下外側面５４を含む見返しリング３８と、上外側面５０及び下外側面５４をそれぞれ覆って見返しリング３８の内部に光を封じ込めるフルミラー層５６と、下内側面４８から出射する光を受光するために下内側面４８に対向して配置されたソーラーセル３２と、を有する。見返しリング３８は、文字板２０の裏面側に、厚み方向の下端４４を有する。下外側面５４は、法線が通る点の位置によって法線の傾きが変化する形状である。下外側面５４の法線の傾きは、点の位置が下端４４に近づくにつれて、見返しリング３８の厚み方向である垂直に近づく。【選択図】図２
2015137970.tif 000002
【特許請求の範囲】
【請求項１】
文字板と、
厚み方向に貫通する穴を有して前記穴の内側に前記文字板を収容する光透過性の見返しリングであって、前記文字板の表面を囲むように立ち上がる上内側面と、前記文字板の裏面を囲むように下がる下内側面と、前記上内側面とは反対側にあって法線が前記文字板の側で下がるように傾斜する上外側面と、前記下内側面とは反対側にあって法線が前記文字板の側で上がるように傾斜する下外側面と、を含む見返しリングと、
前記上外側面及び前記下外側面をそれぞれ覆って、前記見返しリングの内部に光を封じ込めるフルミラー層と、
前記下内側面から出射する光を受光するために、前記下内側面に対向して配置されたソーラーセルと、
を有し、
前記見返しリングは、前記文字板の前記裏面側に、前記厚み方向の下端を有し、
前記下外側面は、前記法線が通る点の位置によって前記法線の傾きが変化する形状であり、
前記下外側面の前記法線の傾きは、前記点の位置が前記下端に近づくにつれて、前記見返しリングの前記厚み方向である垂直に近づくことを特徴とするソーラーセル付電子時計。
【請求項２】
請求項１に記載されたソーラーセル付電子時計において、
前記下外側面は、凸曲面であり、
前記凸曲面は、前記見返しリングの前記厚み方向に延びる直線を軸にして、前記直線を含む平面に前記下端から上方に描かれる曲線を回転させてできる回転面であることを特徴とするソーラーセル付電子時計。
【請求項３】
請求項１に記載されたソーラーセル付電子時計において、
前記下外側面は、前記見返しリングの前記厚み方向に並ぶ複数の領域を含み、
前記下端に近い前記領域は、前記下端から遠い前記領域よりも、前記法線の傾きが前記垂直に近いことを特徴とするソーラーセル付電子時計。
【発明の詳細な説明】
【技術分野】
【０００１】
本発明は、ソーラーセル付電子時計に関する。
【背景技術】
【０００２】
近年、電子時計には、装飾品としての美的外観が求められることはもとより、クロノグラフ機能や電波受信機能などの消費電力の高い機能が求められている。時計の駆動に必要な電力を太陽電池で発電するソーラーセル付電子時計にも同様の要求がある。ソーラーセル付電子時計は、特許文献１及び２に開示されている。
【先行技術文献】
【特許文献】
【０００３】
【特許文献１】特開２００５−１１４６５０号公報
【特許文献２】特開２００６−３１３１０３号公報
【発明の概要】
【発明が解決しようとする課題】
【０００４】
ソーラーセル付電子時計では、ソーラーセルを光半透過性の文字板の下に重ねて配置すると文字板の美的外観が劣り、高級感を持たせることが困難であった。そこで、特許文献１及び２に開示される例では、ソーラーセルを文字板の周囲に立ち上がるように配置することで文字板の美観を確保しているが、時計の厚みが増してしまうという問題があった。なお、時計を薄くするためにソーラーセルを小さくすると、発電面積が小さくなるため、発電量が低下する。
【０００５】
本発明は、美的外観を損なわず、発電量を増やすことができるソーラーセル付電子時計を提供することを目的とする。
【課題を解決するための手段】
【０００６】
（１）本発明に係るソーラーセル付電子時計は、文字板と、厚み方向に貫通する穴を有して前記穴の内側に前記文字板を収容する光透過性の見返しリングであって、前記文字板の表面を囲むように立ち上がる上内側面と、前記文字板の裏面を囲むように下がる下内側面と、前記上内側面とは反対側にあって法線が前記文字板の側で下がるように傾斜する上外側面と、前記下内側面とは反対側にあって法線が前記文字板の側で上がるように傾斜する下外側面と、を含む見返しリングと、前記上外側面及び前記下外側面をそれぞれ覆って、前記見返しリングの内部に光を封じ込めるフルミラー層と、前記下内側面から出射する光を受光するために、前記下内側面に対向して配置されたソーラーセルと、を有し、前記見返しリングは、前記文字板の前記裏面側に、前記厚み方向の下端を有し、前記下外側面は、前記法線が通る点の位置によって前記法線の傾きが変化する形状であり、前記下外側面の前記法線の傾きは、前記点の位置が前記下端に近づくにつれて、前記見返しリングの前記厚み方向である垂直に近づくことを特徴とする。本発明によれば、見返しリングに入った光をフルミラー層で反射させるので、ソーラーセルに入射する光量を増やすことができる。また、見返しリングが文字板の下に延びるので、時計が厚くならず、美的外観を損なわないようになっている。さらに、下外側面の法線の傾きが、その法線が通る点の位置が下端に近づくにつれて、見返しリングの厚み方向である垂直に近づくようになっている。これにより、従来は尖った形状であった見返しリングの下端が平らに近い形状になるので、組立時や搬送時の破損を防ぐことができる。
【０００７】
（２）（１）に記載されたソーラーセル付電子時計において、前記下外側面は、凸曲面であり、前記凸曲面は、前記見返しリングの前記厚み方向に延びる直線を軸にして、前記直線を含む平面に前記下端から上方に描かれる曲線を回転させてできる回転面であることを特徴としてもよい。
【０００８】
（３）（１）に記載されたソーラーセル付電子時計において、前記下外側面は、前記見返しリングの前記厚み方向に並ぶ複数の領域を含み、前記下端に近い前記領域は、前記下端から遠い前記領域よりも、前記法線の傾きが前記垂直に近いことを特徴としてもよい。
【図面の簡単な説明】
【０００９】
【図１】本発明の実施形態に係るソーラーセル付き電子時計の正面図である。
【図２】図１に示すソーラーセル付き電子時計のII−II線断面図である。
【図３】ソーラーセルを示す斜視図である。
【図４】見返しリングを示す斜視図である。
【図５】見返しリングの下外側面を説明するための図である。
【図６】実施形態の変形例に係る見返しリングの下外側面を説明するための図である。
【発明を実施するための形態】
【００１０】
以下、本発明の実施形態について、図面を参照して説明する。
【００１１】
図１は、本発明の実施形態に係るソーラーセル付き電子時計の正面図である。図２は、図１に示すソーラーセル付き電子時計のII−II線断面図である。
【００１２】
ソーラーセル付き電子時計は、時計ケース１０を有する。時計ケース１０には、表側にガラスからなる風防１２が取り付けられ、裏側に金属からなる裏蓋１４が取り付けられている。時計ケース１０の側面には、外部操作部材である巻真１６が通る貫通穴（図示せず）が開口する。
【００１３】
巻真１６は、回転させることによりムーブメント１８に設けられた電気的接点をオン・オフするようになっており、これにより巻真１６の回転操作を検出することができる。もちろん、巻真１６を引き出すことにより輪列と直接接続するようにしてもよい。ムーブメント１８の上側に、時計表示部材として文字板２０及び指針２２が載っている。ムーブメント１８の下側には、ムーブメント１８を駆動させるための回路基板２４が取り付けられている。
【００１４】
ムーブメント１８は、ドーナツ状の中枠２６に嵌め込まれている。ムーブメント１８には、回路基板２４に電気的に接続された接続バネ２８が取り付けられている。回路押さえ板３０によって、回路基板２４が中枠２６に押さえられて保持されている。
【００１５】
図３は、ソーラーセルを示す斜視図である。ソーラーセル付電子時計は、ソーラーセル３２を有する。ソーラーセル３２は、ポリエチレンテレフタラートなどの樹脂からなるフィルム状のベース基板３４と、その上にアモルファスシリコン等の半導体材料を含むように形成された光発電領域３６と、を有する。ベース基板３４は、細長い帯状であり、可とう性を有する。ソーラーセル３２は、一方の面に光を受けて発電を行う光発電領域３６を有する。ソーラーセル３２は、他方の面（光発電領域３６の反対側）の長手方向の両端部に、それぞれ、光発電領域３６で発生する電力を取り出す端子としての電極３２ａを有する。
【００１６】
図２に示すように、ソーラーセル３２と回路基板２４の電極（図示せず）とは、接続バネ２８によって電気的に接続されており、ソーラーセル３２からの発電電力がムーブメント１８に供給されるようになっている。ソーラーセル３２の電極３２ａは、接続バネ２８との接点を持つ。接続バネ２８は、回路基板２４の電極（図示せず）との接点も持つ。ソーラーセル３２は、光発電領域３６が時計の中心と反対を向くように見返しリング３８に沿って組み込まれる。
【００１７】
図４は、見返しリング３８を示す斜視図である。ソーラーセル付電子時計は、見返しリング３８を有する。見返しリング３８は、光透過性の樹脂により成型されている。見返しリング３８には、巻真１６（図１参照）を通すための切り欠き４０が形成されている。見返しリング３８も中枠２６（図１参照）に保持されている。見返しリング３８は、中枠２６、風防１２及び時計ケース１０で保持される。したがって、衝撃によるガタが非常にすくない構造になっている。相対的に、中枠２６は、見返しリング３８、時計ケース１０及び裏蓋１４で保持される。
【００１８】
見返しリング３８は、厚み方向に貫通する穴４２を有しており、穴４２の内側に文字板２０（図２参照）を収容する。見返しリング３８は、文字板２０の裏面側に、厚み方向の下端４４を有する。見返しリング３８は、文字板２０の表面を囲むように立ち上がる上内側面４６を有する。見返しリング３８は、文字板２０の裏面を囲むように下がる下内側面４８を有する。見返しリング３８が文字板２０の下に延びる部分を有するので、時計が厚くならず、美的外観を損なわないようになっている。
【００１９】
見返しリング３８は、図２に示すように、上内側面４６とは反対側にあって法線Ｎ１が文字板２０の側で下がるように傾斜する上外側面５０を有する。見返しリング３８は、上内側面４６と上外側面５０の間に上端面５２を有する。見返しリング３８は、下内側面４８とは反対側にあって法線Ｎ２が文字板２０の側で上がるように傾斜する下外側面５４を有する。下外側面５４は、凸曲面である。凸曲面は、見返しリング３８の厚み方向に延びる直線Ｌ（図４参照）を軸にして、直線Ｌを含む平面（図示せず）に下端４４から上方に描かれる曲線Ｃを回転させてできる回転面である。
【００２０】
図５は、見返しリング３８の下外側面５４を説明するための図である。下外側面５４は、法線が通る点の位置によって法線の傾きが変化する形状である。詳しくは、下外側面５４の法線の傾きは、点の位置が下端４４に近づくにつれて、見返しリング３８の厚み方向である垂直に近づく。例えば、見返しリング３８の下端４４に近い点を通る法線ＮＬの傾きは、下端４４から離れた位置にある点を通る法線ＮＵよりも、見返しリング３８の厚み方向である垂直に近づく。これにより、従来は尖った形状であった見返しリング３８の下端４４が平らに近い形状になるので、組立時や搬送時の破損を防ぐことができる。
【００２１】
図２に示すように、ソーラーセル付電子時計は、フルミラー層５６を有する。フルミラー層５６は、見返しリング３８の内部に光を封じ込める。フルミラー層５６は、たとえば誘電体多層膜からなる。フルミラー層５６は、上外側面５０及び下外側面５４をそれぞれ覆う。本実施形態によれば、見返しリング３８に入った光をフルミラー層５６で反射させるので、ソーラーセル３２に入射する光量を増やすことができる。
【００２２】
図２に示すように、見返しリング３８にソーラーセル３２が保持されている。見返しリング３８は、ソーラーセル３２を垂直に保持するための胴を有する。胴は、ソーラーセル３２の上端側の長辺を保持するための段３８ａ（図４参照）を有する。ソーラーセル３２は、それ自体がもとの状態に戻ろうとする復元力で、見返しリング３８の内側に保持される。ソーラーセル３２は、見返しリング３８の下内側面４８に対向して配置されている。したがって、ソーラーセル３２は、下内側面４８から出射する光を受光することができる。
【００２３】
図６は、実施形態の変形例に係る見返しリングの下外側面を説明するための図である。この例では、下外側面１５４は、見返しリング１３８の厚み方向に並ぶ複数の領域１５４ａ，１５４ｂを含む。下端１４４に近い領域１５４ａを通る法線ＮＬは、下端１４４から遠い領域１５４ｂを通る法線ＮＵよりも、傾きが垂直に近い。その結果、下端１４４を先端とする部分の角度が大きくなる。このような形状は、射出成型で見返しリング１３８を製造するときには、金型を形成しやすい形状であり、成形工程で樹脂の回り込みが良好となり、狙いの形状精度が達成しやすく、金型からの抜きもしやすい。また、見返しリング１３８の下方にある領域１５４ａで反射する光の進行方向を上に向けることができるので、上方のソーラーセルに光を導いて発電効率を上げることができる。
【００２４】
本発明は、上述した実施形態に限定されるものではなく種々の変形が可能である。例えば、実施形態で説明した構成は、実質的に同一の構成、同一の作用効果を奏する構成又は同一の目的を達成することができる構成で置き換えることができる。
【符号の説明】
【００２５】
１０  時計ケース、１２  風防、１４  裏蓋、１６  巻真、１８  ムーブメント、２０  文字板、２２  指針、２４  回路基板、２６  中枠、２８  接続バネ、３０  回路押さえ板、３２  ソーラーセル、３２ａ  電極、３４  ベース基板、３６  光発電領域、３８  見返しリング、３８ａ  段、４０  切り欠き、４２  穴、４４  下端、４６  上内側面、４８  下内側面、５０  上外側面、５２  上端面、５４  下外側面、５６  フルミラー層、１３８  見返しリング、１４４  下端、１５４  下外側面、１５４ａ  領域、１５４ｂ  領域。
【図１】
2015137970.tif 000003
【図２】
2015137970.tif 000004
【図３】
2015137970.tif 000005
【図４】
2015137970.tif 000006
【図５】
2015137970.tif 000007
【図６】
2015137970.tif 000008